(57)【特許請求の範囲】
【請求項１】
ピンポンを回避するように選択されたサービス中のセルからの第１の距離を超えて、および選択された速度で移動しているモバイル・ユニットが少なくとも１つのトリガまでの時間（ＴＴＴ）内に第３の距離を超えて移動しないように選択された前記サービス中のセルからの第２の距離内でハンドオフがトリガされるように、前記サービス中のセルからのハンドオフについてのヒステリシスの値、前記サービス中のセルと少なくとも１つの隣接するセルとの間のハンドオフについての少なくとも１つのペアのオフセット値、および前記サービス中のセルと前記少なくとも１つの隣接するセルとの間のハンドオフについての前記少なくとも１つのトリガまでの時間（ＴＴＴ）を決定するステップを備え、
前記第３の距離が、前記第３の距離での前記サービス中のセルからの参照信号受信電力が、正常な通話を維持するための最小値であるように決定されており、
前記少なくとも１つのペアのオフセット値を決定するステップが、前記ヒステリシスの前記値および隣接するセルごとのそれぞれのペアのオフセット値の合計が、前記第３の距離での前記サービス中のセルについての参照信号受信電力と、隣接するセルごとの前記第３の距離での参照信号受信電力との間の差異よりも少ないかそれと等しいように複数のペアのオフセット値を決定するステップを備える、方法。
【請求項２】
前記ヒステリシスの値を決定するステップが、前記ヒステリシスの前記値を、前記第３の距離での前記サービス中のセルについての前記参照信号受信電力と、前記少なくとも１つの隣接するセルを含む複数の隣接するセルの前記第３の距離での複数の参照信号受信電力との間の差異の最小値に基づいて決定するステップを備え、前記最小値が前記複数の隣接するセルを介して決定される、請求項１に記載の方法。
【請求項３】
前記少なくとも１つのＴＴＴを決定するステップが、少なくとも１つのモバイル・ユニットによって使用されるフィルタリング時間スケールまたは処理時間のうちの少なくとも１つに基づいて少なくとも１つのＴＴＴを決定するステップを備える、請求項１に記載の方法。
【請求項４】
前記ヒステリシスの値、前記少なくとも１つのペアのオフセット値、および前記サービス中のセルの前記少なくとも１つのＴＴＴを格納するステップと、前記ヒステリシスの値、前記少なくとも１つのペアのオフセット値、および前記少なくとも１つのＴＴＴを前記少なくとも１つのモバイル・ユニットに搬送するステップのうちの少なくとも１つを備える、請求項３に記載の方法。
【請求項５】
サービス中のセルからのハンドオフについてのヒステリシスの値、前記サービス中のセルと少なくとも１つの隣接するセルとの間のハンドオフについての少なくとも１つのペアのオフセット値、および前記サービス中のセルと前記少なくとも１つの隣接するセルとの間のハンドオフについての少なくとも１つのトリガまでの時間（ＴＴＴ）を決定するステップであって、
前記ヒステリシス、前記少なくとも１つのペアのオフセット値、および前記少なくとも１つのＴＴＴが、前記ヒステリシス、前記少なくとも１つのペアのオフセット値、および前記少なくとも１つのＴＴＴについてのグローバル・ソリューションの収束範囲内であるように決定するステップと、
前記少なくとも１つのペアのオフセット値を決定するステップが、前記ヒステリシスの前記値および隣接するセルごとのそれぞれのペアのオフセット値の合計が、第３の距離での前記サービス中のセルについての参照信号受信電力と、隣接するセルごとの前記第３の距離での参照信号受信電力との間の差異よりも少ないかそれと等しいように複数のペアのオフセット値を決定するステップとを備える、方法。
【請求項６】
前記ヒステリシスの前記値、前記少なくとも１つのペアのオフセット値、および前記少なくとも１つのＴＴＴを決定するステップが、ピンポンを回避するように選択された前記サービス中のセルからの第１の距離を超えて、選択された速度で移動しているモバイル・ユニットが前記少なくとも１つのＴＴＴ内に第３の距離を超えて移動しないように選択された前記サービス中のセルからの第２の距離内で、ハンドオフがトリガされるように前記値を決定するステップを備え、前記第３の距離は、前記第３の距離での前記サービス中のセルからの参照信号受信電力が、正常な通話を維持するための最小値であるように選択されており、前記ヒステリシスの値を決定するステップは、前記ヒステリシスの前記値を、前記第３の距離での前記サービス中のセルについての前記参照信号受信電力と、前記少なくとも１つの隣接するセルを含む複数の隣接するセルの前記第３の距離での複数の参照信号受信電力との間の差異の最小値に基づいて決定するステップを備え、前記最小値は、前記複数の隣接するセルを介して決定される、請求項５に記載の方法。
【請求項７】
前記少なくとも１つのＴＴＴを決定するステップが、少なくとも１つのモバイル・ユニットによって使用されるフィルタリング時間スケールまたは処理時間のうちの少なくとも１つに基づいて少なくとも１つのＴＴＴを決定するステップを備える、請求項５に記載の方法。
【請求項８】
前記ヒステリシスの値、前記少なくとも１つのペアのオフセット値、および前記サービス中のセルの前記少なくとも１つのＴＴＴを格納するステップと、前記ヒステリシスの値、前記少なくとも１つのペアのオフセット値、および前記少なくとも１つのＴＴＴを前記少なくとも１つのモバイル・ユニットに搬送するステップのうちの少なくとも１つを備える、請求項７に記載の方法。
【発明の詳細な説明】
【技術分野】
【０００１】
関連出願の相互参照
本出願は、２００９年７月９日に出願された米国仮出願第６１／２７０，５３７号「Ｍｅｔｈｏｄ  ｆｏｒ  Ｄｅｔｅｒｍｉｎｉｎｇ  Ｗｉｒｅｌｅｓｓ  Ｈａｎｄ  Ｏｆｆ  Ｐａｒａｍｅｔｅｒｓ」の出願日の利益を主張する。
【０００２】
本発明は、一般に通信システムに関し、より詳細には無線通信システムに関する。
【背景技術】
【０００３】
無線通信システムは、一般にモバイル・ユニット（または他のタイプのユーザ装置）に無線接続を提供するための多数の基地局（または他のタイプの無線アクセス・ポイント）を配置する。それぞれの基地局は、基地局によってサービスされる特定のセルまたはセクタに位置するモバイル・ユニットへの無線接続の提供を担当する。モバイル・ユニットが無線通信システム中をローミングする（ｒｏａｍ）につれて、モバイル・ユニットはある基地局から他の基地局にハンドオフされる。ユーザの観点からすれば、モバイル・ユニットが動き回るにつれてシームレスなサービスをサポートするために、堅牢なハンドオーバ技法が不可欠である。たとえば、ハンドオーバ処理におけるレイテンシ（ｌａｔｅｎｃｙ：待ち時間）によって生じることがある音声通信におけるギャップまたは無音によって、ユーザはすぐにイライラしてしまう。他の例では、ユーザがあるセルから他のセルにローミングするときに通話が切れてしまうことがしばしばある場合、ユーザはプロバイダを替えてしまうだろう。
【０００４】
ハンドオーバを開始する基本条件は、候補目標基地局またはセルからの信号強度が、現在サービス中の基地局またはセルからの信号強度よりも強い／良いことである。しかし、サービス中の基地局よりも目標基地局の方がより強い信号を有しているように見えるとすぐにモバイル・ユニットを単にハンドオフすることは、いくつかの問題を引き起こす場合がある。たとえば、サービス中のセルとその隣接するセルとの間の境界付近の信号強度は、（当然のことと言っていいが）ほぼ同じである。したがって、境界付近のそれぞれのモバイル・ユニットによって受信される信号強度はほぼ同じであり、比較的小さい偏差によって関連信号強度が突然変更されることがある。特定のモバイル・ユニットによって受信された信号の強度も、モバイル・ユニットの移動および／または環境の変化によって急変することがある。したがって、ハンドオフが関連信号強度だけに基づいて実行されると、モバイル・ユニットは慌ただしくハンドオフしたり返したり（ピンポン（Ｐｉｎｇ−ｐｏｎｇｉｎｇ）として知られる現象）される場合がある。ピンポンは貴重なオーバーヘッドを不要に消費し、受信される通話の品質を下げ、通話の遮断を招くことさえある。
【０００５】
より高度なハンドオフ条件を使用することによって、ハンドオーバをより堅牢にすることができる。たとえば、従来のハンドオーバは、候補セルからの信号強度の方が現在サービス中のセルからの信号強度よりもヒステリシス値およびオフセット値によって決定される一定量だけ良いときに実行される。それぞれのセルは、ヒステリシスの単一の値、たとえば２ｄＢを使用する。それぞれのセルは、セルとその隣接するセルとの間のハンドオフに適用されたオフセットについての異なる値も維持する。たとえば、サービス中のセルと第１の隣接するセルとの間のハンドオフについてのオフセット値は１ｄＢでよく、サービス中のセルと第２の隣接するセルとの間のハンドオフについてのオフセット値は２ｄＢでよい。目標セルの「より良い」条件が少なくともトリガまでの時間（ＴＴＴ）の間持続するまでハンドオフを遅延させるために、ＴＴＴが使用される。第３世代技術では、ヒステリシス、オフセット値、およびＴＴＴは、全てのセルに適用されるあるゴールデンセットに設定される。ゴールデンセットは利便性のためにのみ選択され、パフォーマンスの利益は提供しない。
【発明の概要】
【発明が解決しようとする課題】
【０００６】
開示された主題は、上述の問題のうちの１つまたは複数の影響に対処することを対象とする。以下に、開示された主題のいくつかの態様の基本的理解を提供するために、開示された主題の簡易化した概要を提示する。この概要は、開示された主題の網羅的な概要ではない。概要は、開示された主題の主要なまたは不可欠な要素を識別することや、開示された主題の範囲を詳細に説明することを意図するものではない。概要の唯一の目的は、後述するより詳細な説明の前置きとして、いくつかの概念を簡易な形式で提示することである。
【課題を解決するための手段】
【０００７】
一実施形態では、ハンドオフ・パラメータを決定するための方法が提供される。本方法の一実施形態は、サービス中のセルからのハンドオフについてのヒステリシスの値、サービス中のセルと１つまたは複数の隣接するセルとの間のハンドオフについての１つまたは複数のペアのオフセット値、およびサービス中のセルと隣接するセルとの間のハンドオフについての１つまたは複数のトリガまでの時間（ＴＴＴ）を決定するステップを含む。ピンポンを回避するように選択されたサービス中のセルからの第１の距離を超えて、および選択された速度で移動しているモバイル・ユニットがＴＴＴ内の第３の距離を超えて移動しないように選択されたサービス中のセルからの第２の距離内でハンドオフがトリガされるように、値を決定できる。
【０００８】
他の実施形態では、ハンドオフ・パラメータを決定するための方法が提供される。本方法の一実施形態は、サービス中のセルからのハンドオフについてのヒステリシスの値、サービス中のセルと１つまたは複数の隣接するセルとの間のハンドオフについての１つまたは複数のペアのオフセット値、およびサービス中のセルと隣接するセルとの間のハンドオフについての１つまたは複数のトリガまでの時間（ＴＴＴ）を決定するステップを含む。ヒステリシス、ペアのオフセット値、およびＴＴＴが、ヒステリシス、ペアのオフセット値、およびＴＴＴについてのグローバル・ソリューションの収束範囲（ｗｅｌｌ  ｏｆ  ｃｏｎｖｅｒｇｅｎｃｅ）内であるように、ハンドオフ・パラメータを決定できる。
【０００９】
開示された主題は、以下の説明を添付の図面とともに参照すればよりよく理解されよう。図面において、同様の参照番号は同様の要素を識別する。
【図面の簡単な説明】
【００１０】
【図１】通信システムの第１の例示的実施形態を概念的に示す図である。
【図２】セル・ベースでハンドオフ・パラメータを決定するための幾何学的手法の第１の例示的実施形態を概念的に示す図である。
【図３】セル・ベースでハンドオフ・パラメータを決定するための幾何学的手法の第２の例示的実施形態を概念的に示す図である。
【図４】ハンドオフ・パラメータを決定する方法のある例示的実施形態を概念的に示す図である。
【発明を実施するための形態】
【００１１】
開示された主題は様々な修正形態および代替形態の影響を受けやすいが、それらの特定の実施形態は図面において例として示されており、また本明細書で詳細に説明される。しかし、本明細書における特定の実施形態の説明は、開示された主題を開示された特定の形式に限定することを意図するものではなく、逆に、添付の特許請求の範囲内の全ての修正形態、同等物、および代替物をカバーすることを意図することが理解されるべきである。
【００１２】
説明のための実施形態を以下に記載する。明確にするために、実際の実装形態の全ての特徴が本明細書に記載されるとは限らない。当然、このような何らかの実際の実施形態の開発では、システム関連およびビジネス関連の制約の順守などの、実装形態によって異なる開発者の具体的な目標を達成するために、多くの実装形態特有の判断がなされるべきであることが理解されよう。さらに、このような開発努力は複雑で時間がかかる場合があるが、本開示の利益を有する当業者にとっては日常的な課題（ｒｏｕｔｉｎｅ  ｕｎｄｅｒｔａｋｉｎｇ）であることが理解されよう。
【００１３】
次に、開示された主題を添付の図面を参照して説明する。説明のみの目的で、および当業者によく知られている詳細によって本発明を曖昧にしないために、図面においては様々な構造、システム、および装置を概略的に描写している。それでもなお、開示された主題の説明に役立つ例を記載して説明するために、添付の図面が含まれている。本明細書で使用される語句は、当業者によるそれらの語句の理解と一致する意味を有するように理解および解釈されるべきである。用語または語句の特別な定義、すなわち当業者によって理解される普通のおよび通常の意味とは異なる定義が、本明細書における用語または語句の一貫した使用によって含意されることは意図しない。用語または語句が特別な意味、すなわち当業者によって理解されるものとは異なる意味を有すると意図される限り、このような特別な定義は、その用語または語句についての特別な意味を直接および明白に提供する定義の方法で、本明細書において明らかに説明される。
【００１４】
図１は、通信システム１００の第１の例示的実施形態を概念的に示している。図示された実施形態では、通信システム１００は、３ＧＰＰ標準および／またはプロトコルによって開発されているロング・ターム・エボリューション（ＬＴＥ）ネットワークなどの、発展型パケット交換ネットワークである。システム１００は、対応するセクタまたはセル１１０に無線接続を提供するためのアクセス・ネットワーク１０５を含む。図１に示されたアクセス・ネットワーク１０５は、モバイル・ネットワークのＬＴＥアップグレード・パスのための定義された３ＧＰＰ標準および／またはプロトコルによって動作する、発展型ＵＭＴＳ地上無線アクセス・ネットワーク（Ｅ−ＵＴＲＡＮ）である。しかし、本開示の利益を有する当業者は、異なる標準および／またはプロトコルによって動作できるシステム１００の代替実施形態に無線接続を提供するために、他のタイプのアクセス・ネットワーク、基地局、基地局ルータ、アクセス・ポイント、および同等物が使用できることを理解するべきである。
【００１５】
図示された実施形態では、セル１１０は、明確に定義された境界を有する完全な６角形として示されている。しかし、本開示の利益を有する当業者は、実際の配置では、セル１１０の境界は対応するアクセス・ネットワーク１０５によって送信されたパイロット信号などの信号についての参照信号受信電力（ＲＳＲＰ）によって決定され得ることを理解するべきである。したがってセル１１０は、不規則な、および／または時間的に変化する形または境界を有する場合がある。境界の変化は、アクセス・ネットワーク１０５によって使用される送信パラメータの変化、伝搬に影響する環境変化、および／または参照信号のフェージングなどの結果である場合がある。さらに、それぞれのアクセス・ネットワーク１０５は、複数のアンテナまたはアンテナのアレイを使用して、セル１１０のセクタ（図１には図示せず）に実質的に単独で無線接続を提供できる。
【００１６】
１つまたは複数のモバイル・ユニット１１５は、アクセス・ネットワーク１０５との無線接続を確立することによって、無線通信システム１００にアクセスできる。モバイル・ユニット１１５もセル１１０間をローミングすることができるので、無線通信システム１００は異なるアクセス・ネットワーク１０５間でモバイル・ユニット１１５のハンドオフをサポートする。たとえば、モバイル・ユニット１１５はセル１１０（１）からセル１１０（４）にローミングする場合がある。したがって、モバイル・ユニット１１５は、アクセス・ネットワーク１０５（１）からアクセス・ネットワーク１０５（４）にハンドオフされ得る。ハード・ハンドオーバ、ソフト・ハンドオーバ、および／またはよりソフトなハンドオーバを実行するための技法は業界では知られており、明確にするためだけに、請求項に記載された主題に関連するハンドオーバ実行の態様を本明細書に記載する。
【００１７】
図示された実施形態では、無線通信システム１００は、セル・ベースでハンドオフ・パラメータを最適化するための枠組みを提供する自己組織ネットワークである。たとえば、ゴールデン・ルールを使用して、セル１１０間のハンドオフについてのヒステリシス、ペアのオフセット値、およびトリガまでの時間（ＴＴＴ）を決定する代わりに、システム１００はセル１１０および／またはアクセス・ネットワーク１０５ごとにパラメータを動的に定義できる。したがって、無線通信システム１００は、ヒステリシス、オフセット値、および／またはＴＴＴを改良してさらに最適化するために、モバイル・ユニット１１５によって実行される無線インターフェース・パラメータの測定、および／または３ＧＰＰによって定義される重要業績評価指標（ＫＰＩ）を使用する、堅牢な最適化アルゴリズムを実装できる。しかし、最適化問題は、必ずしも初期状態の全てのセットについての良いまたは最適なソリューションに収束できない場合がある。逆に、ヒステリシス、オフセット値、および／またはＴＴＴについてランダムまたは任意で選択された値は、ほぼ確実にグローバル最適ソリューション（ｇｌｏｂａｌ  ｏｐｔｉｍｕｍ  ｓｏｌｕｔｉｏｎｓ）を取り囲む収束範囲外である。
【００１８】
したがって、本明細書に記載した技法は、ヒステリシス、オフセット値、および／またはＴＴＴについての最初のソリューションをセル・ベースで定義するために使用できる。本発明者は、本明細書に記載のソリューションの実施形態が、ヒステリシス、オフセット値、およびＴＴＴのグローバル最適ソリューションについての収束範囲内であることを実証した。したがって、この最初のソリューションの実施形態は、グローバル最適ソリューションに収束するために、ネットワーク１００および／またはモバイル・ユニット１１５からのリアルタイムの情報に基づいて改良され得る。したがって、本明細書に記載した技法の実施形態は、幾何学（サイトの位置、交信角度、およびアンテナ傾斜情報）ならびに最大許容パス損失として捉えられるＲＦ伝搬に基づいて最初の良いソリューションを提供できる自動自己最適化戦略を実装するために使用され得る。一実施形態では、位置は緯度／経度に関して与えられ、交信角度は方位に関して与えられる場合がある。最初のソリューションのパラメータは、無線ネットワーク・コントローラなどの中央エンティティで、またはアクセス・ネットワーク１０５内で、無線通信システム１００によって決定され得る。たとえば、基地局ルータ１０５を実装する分散された無線通信システム１００では、パラメータの決定も基地局ルータ１０５に分散され得る。
【００１９】
図２は、セル・ベースでハンドオフ・パラメータを決定するための幾何学的手法の第１の例示的実施形態を概念的に示している。図示された実施形態では、サービス中のセル（セルｓ）および隣接するセル（セルｎ）の位置が水平軸に沿って示されている。２つのセルを隔てる距離の単位は任意である。垂直軸は、参照信号受信電力（ＲＳＲＰ）などの、モバイル・ユニットによって受信された信号強度の測定を示している。垂直軸に沿った受信信号強度の単位は任意である。サービス中のセルによって送信された参照信号についての受信信号強度はカーブ２０５で示され、隣接するセルによって送信された参照信号についての受信信号強度はカーブ２１０で示されている。一実施形態では、カーブ２０５、２１０は、セル配置の知られているまたは推定された形態、およびセル付近の環境を使用して決定され得る。たとえば、パス損失モデルを使用して、セル位置、アンテナ交信角度、アンテナ傾斜、最大許容パス損失として捉えられるＲＦ伝搬などの知られている形態から決定されたパラメータに基づいて伝搬損失および／またはフェージング係数を決定できる。しかし、本開示の利益を有する当業者は、代替実施形態ではカーブ２０５、２１０を決定するための他の技法を使用できることを理解するべきである。
【００２０】
正常な通話を維持するために、モバイル・ユニットは、最小の受信信号強度レベルＴｍｉｎで信号を要求する。受信信号強度レベルがＴｍｉｎを下回る場合、ユーザエクスペリエンスの質が下がる（および通話が切れる）場合がある。したがって、サービス中のセルを最初に使用するモバイル・ユニットは、モバイル・ユニットがサービス中のセルから十分遠くに移動して、カーブ２０５によって示される参照信号受信電力が点線２１５で示される最小受信信号強度レベルを下回るまで、正常な通話を維持できる。その時点で、カーブ２０５、２１０間の差異はΔ（ｓ，ｎ）によって求められる。サービス中のセルから隣接するセルへのハンドオフは、Ｔｎ−Ｑｏｆｆｓｅｔ（ｓ，ｎ）＞Ｔｓ＋Ｑｈｙｓｔの場合にトリガされ、隣接するセルからの信号強度Ｔｎ＞Ｔｓ＋Ｑｈｙｓｔ＋Ｑｏｆｆｓｅｔ（ｓ，ｎ）に対応する。この式では、ＴｎおよびＴｓは、それぞれサービス中のセルおよび隣接するセルからの参照信号受信電力の値であり、モバイル・ユニットによって測定される。しかし、ハンドオフ・パラメータが正確に決定されないと、ハンドオフが中断される場合があり、またハンドオフの前、最中、または後に通話が切れてしまう可能性がある。たとえば、パラメータがＱｈｙｓｔ＋Ｑｏｆｆｓｅｔ（ｓ，ｎ）＞Δ（ｓ，ｎ）になるように設定されると、モバイル・ユニットのハンドオフは、サービス中のセルから受信された参照信号が弱すぎて正常な通話をサポートできない領域にモバイル・ユニットが移動するまでトリガされない。したがって、パラメータはＱｈｙｓｔ＋Ｑｏｆｆｓｅｔ（ｓ，ｎ）≦Δ（ｓ，ｎ）になるように設定されるべきである。
【００２１】
ハンドオフ・パラメータについての分析的ソリューションの一実施形態は、
【００２２】
【数１】
0005511952.tif 000002
のように定義できる。このソリューションでは、最小値は、サービス中のセルに隣接する全てのセルに引き継がれる。このソリューションは、全ての隣接するセルについて、Ｑｈｙｓｔ＋Ｑｏｆｆｓｅｔ（ｓ，ｎ）≦Δ（ｓ，ｎ）の要件を満たす。しかし、本開示の利益を有する当業者は、この分析的ソリューションは例示的なものであり、代替実施形態では隣接するセルについて、Ｑｈｙｓｔ＋Ｑｏｆｆｓｅｔ（ｓ，ｎ）≦Δ（ｓ，ｎ）の要件を満たす他のソリューションが使用され得る点を理解するべきである。
【００２３】
ＴＴＴは、モバイル・ユニットがサービス中のセルから隣接するセルにハンドオフされる前に、条件Ｔｎ＞Ｔｓ＋Ｑｈｙｓｔ＋Ｑｏｆｆｓｅｔ（ｓ，ｎ）が当てはまるべき時間である。一実施形態では、通信システム内の全てのセルについて単一のＴＴＴが選択され得る。あるいは、サービス中のセルと隣接するセルとの異なるペアについて、ペアのＴＴＴが定義され得る。モバイル・ユニットで測定されたサービス中のセルについてのＲＳＲＰは、ハンドオフ処理を通じてモバイル・ユニットがサービス中のセルで正常な通話を維持できるように、ＴＴＴの時間にわたって許容できる値（Ｔｓ＞Ｔｍｉｎ）で維持されるべきである。ＴＴＴが増加することにより、サービス中のセルと隣接するセルとの間のハンドオフの頻度を減らすことができる。しかし、ＴＴＴが増加することにより、モバイル・ユニットが、ＲＳＲＰが許容できないほど小さくなる（Ｔｓ＜Ｔｍｉｎ）領域に移動する可能性も高くなり、サービスの低下および／または通話の切断につながる場合がある。したがって、これらのパラメータの全てについて任意に高い値を有することはできないので、ヒステリシス、オフセット、およびＴＴＴを決定することは相互トレードオフを必要とする。
【００２４】
モバイル・ユニットを、サービス中のセルから隣接するセルにハンドオフするべきかどうかを決定するために使用されるＲＳＲＰの値は、時間間隔にわたって行われた測定のフィルタリングされた値である。一実施形態では、ＲＳＲＰのフィルタリングされた値は、フィルタリングされた値への再帰的アップデートを決定する以下のフィルタ機能におけるパラメータＫによって決定される。
【００２５】
【数２】
0005511952.tif 000003
この式では、Ｔ（ｉ）およびＴ（ｉ−１）はそれぞれ、現在の例または時間間隔（ｉ）でフィルタリングされた値、および以前の瞬間または時間間隔（ｉ−１）でフィルタリングされた値であり、Ｖ（ｉ）はその瞬間または時間間隔（ｉ）で測定された値を表す。フィルタリング係数は、再帰的フィルタ出力への最新の値の加重寄与（ｗｅｉｇｈｔｅｄ  ｃｏｎｔｒｉｂｕｔｉｏｎ）を決定する。この特定のフィルタリング・アルゴリズムについて、ハンドオフ状態につながる場合がある受信した信号強度における変化を識別するために、約２（Ｋ／４）の報告期間が必要な場合がある。一実施形態では、Ｌ１層機能は、送信間隔ごとに１度、Ｌ３層に測定値（Ｌ１層でもさらにフィルタリングされる場合がある）を送信する。いくつかの実施形態では、送信間隔は約１ミリ秒である。この場合、報告間隔の長さは１送信間隔（ＴＴＩ）である。
【００２６】
図３は、セル・ベースでハンドオフ・パラメータを決定するための幾何学的手法の第２の例示的実施形態を概念的に示している。図示された実施形態では、サービス中のセル（セルｓ）および隣接するセル（セルｎ）の位置が水平軸に沿って示されている。２つのセルを隔てる距離の単位は任意である。垂直軸は、参照信号受信電力（ＲＳＲＰ）などの、モバイル・ユニットによって受信された信号強度の測定を示している。垂直軸に沿った受信信号強度の単位は任意である。サービス中のセルによって送信された信号についての受信信号強度はカーブ３０５で示され、隣接するセルによって送信された信号についての受信信号強度はカーブ３１０で示されている。一実施形態では、カーブ３０５、３１０は、セル配置の知られているまたは推定された形態、およびセル付近の環境を使用して決定され得る。
【００２７】
図示された実施形態では、サービス中の、および隣接するセルについてのＲＳＲＰは、距離Ｄ０でほとんど等しい。サービス中のセルからの臨界距離、すなわち最大距離Ｄｍａｘは、Ｔｓ＝Ｔｍｉｎでの距離と定義される。モバイル・ユニットのハンドオフは、一定の条件に従ってトリガされるべきである。第１に、ハンドオフ・パラメータを適切に選択することによって、２つのセル間のモバイル・ユニットのピンポンを減らす、または回避することができる。たとえば、Ｑｈｙｓｔ＋Ｑｏｆｆｓｅｔ（ｓ，ｎ）＞２ｄＢを設定することによって、ピンポンを回避する、または許容できるレベルまで減らすことができる。この基準は、ハンドオフ・マージン（Ｄｈｏｍ）の距離が、
Ｄｈｏｍ−Ｄ０＞Г
の条件を満たすべきであることを含意する。ピンポンを回避する、または減らすために使用される距離オフセットは、上式のГによって与えられる。第２に、速度（ｖ）で移動しているモバイル・ユニットは、ハンドオフ状態を検出できるまで、ならびにハンドオフの作成に必要なＴＴＴおよび処理時間を経過できるまで、Ｄｍａｘを超えて移動できるべきではない。モバイル・ユニットが隣接するセルとサービス中のセルとの間の線に沿って移動できる最大距離（Ｄｖ）は、
【００２８】
【数３】
0005511952.tif 000004
によって与えられる。上式で、フィルタリング処理において使用される報告間隔はτによって示され、内部処理遅延はδによって示される。たとえば、実際の無線伝搬状態の変化に続いて、モバイル・ユニットは、フィルタリング処理のための約τの遅延の後で、この変化を最初に検出できる。次いで、モバイル・ユニットはＴＴＴのカウントダウンを開始でき、この間隔の間状態が持続する場合、ハンドオフをトリガできる。実際のハンドオフは、処理遅延δの後に実行され得る。この状態は図３に幾何学的に表される。
【００２９】
一実施形態では、最大距離（Ｄｖ）が、ピンポンを減らす、または回避するために使用される距離と等しいという条件で、ＴＴＴｍａｘの最大値を送信できる。ハンドオフ・マージン（Ｄｈｏｍ）の距離についてのこの条件は、
Ｄｈｏｍ＝Ｄ０＋Г
である。この条件を移動時間基準に挿入すると、
【００３０】
【数４】
0005511952.tif 000005
はＴＴＴｍａｘについて以下の式を与える。
【００３１】
【数５】
0005511952.tif 000006
この式は以下のように書くことができる。
【００３２】
【数６】
0005511952.tif 000007
一実施形態では、ＴＴＴの最初の値をＴＴＴｍａｘと等しく設定できる。しかし、ピンポン基準および移動時間基準は、一般的にハンドオフ・マージン（Ｄｈｏｍ）の距離についての許容できる値の範囲３１５を定義する。したがって、他の実施形態では、許容できる値のこの範囲内に収まるヒステリシス、ペアのオフセット、およびＴＴＴの他の値を使用して、最初のソリューションを生成できる。たとえば、ハンドオフ・マージン（Ｄｈｏｍ）の距離を、ピンポン基準によって決定された境界と移動時間基準によって決定された境界との間の中間に設定できる。
【００３３】
図４は、ハンドオフ・パラメータを決定する方法４００のある例示的実施形態を概念的に示している。図示された実施形態では、サービス中のセルの１つまたは複数の隣接するセルについての臨界距離が決定される（４０５）。臨界距離を、参照信号受信電力が、サービス中のアクセス・ネットワークから臨界距離だけ離れた位置にあるモバイル・ユニットへの正常な通話接続を維持するのに十分なレベルを下回る距離と定義できる。隣接するセルごとに交差距離も決定できる（４１０）。交差距離を、サービス中のセルからの参照信号受信電力が、対応する隣接するセルからの参照信号受信電力と等しくなる距離と定義できる。
【００３４】
次いで、ハンドオフ基準またはマージンを識別するために、ハンドオーバ・マージンの制約を適用できる。図示された実施形態では、ピンポンしきい値距離は交差距離に関連して設定されており（４１５）、モバイル・ユニットのピンポンを減らす、または回避するのに十分に大きい距離を示している。本開示の利益を有する当業者は、ピンポンとハンドオフとの間の差異は程度の問題であり、ピンポンしきい値距離の値は特定の状況および／または配置状況に依存する場合があることを理解するべきである。隣接するセルごとに遅延距離も設定できる（４２０）。一実施形態では、検出されたハンドオフを完了できるまで、一定の速度で移動しているモバイル・ユニットが遅延距離を移動して臨界距離を超えて動かないように、臨界距離に関連して遅延距離を設定できる（４２０）。
【００３５】
サービス中のセルおよび隣接するセルについて定義された臨界距離、交差距離、ピンポンしきい値距離、および／または遅延距離に基づいて、ヒステリシス、ペアのオフセット値、およびＴＴＴを決定できる（４２５）。本明細書に記載したように、ピンポンを回避するために選択されたサービス中のセルからの第１の距離を超えて、また選択された速度で移動しているモバイル・ユニットが前記少なくとも１つのＴＴＴ内の第３の距離を超えて移動しないように選択されたサービス中のセルからの第２の距離内で、ハンドオフがトリガされるようにハンドオフ・パラメータを決定できる（４２５）。本明細書に記載の技法の実施形態によって決定されたヒステリシス、ペアのオフセット値、およびＴＴＴは、ヒステリシス、ペアのオフセット値、およびＴＴＴについてのグローバル・ソリューションの収束範囲内でよい。これらのハンドオフ・パラメータを、アクセス・ネットワークに格納して、自己組織ネットワークで使用され得る動的なハンドオフ・パラメータ・アルゴリズムについての最初のパラメータを定義するために使用できる。モバイル・ユニットがハンドオフ・パラメータを使用して、あるセルから他のセルにハンドオフをトリガする時を決定できるように、モバイル・ユニットにこれらのパラメータを送信することもできる。本開示の利益を有する当業者は、方法４００におけるステップは図示したように連続して、または他の何らかの順序で、あるいは同時に実行できることを理解するべきである。
【００３６】
開示された主題および対応する詳細な説明の一部は、コンピュータ・メモリ内のデータ・ビットに対する操作のソフトウェア、または操作のアルゴリズムおよび記号表現に関して提示される。これらの記述および表現は、当業者が彼らの仕事の実態を他の当業者に効果的に伝える記号および表現である。本明細書で使用される用語としての、また通常使用されるようなアルゴリズムは、所望の結果につながるステップの自己矛盾のないシーケンスと考えられる。ステップは、物理量の物理的操作を必要とするステップである。通常、必ずしもそうではないが、これらの量は、格納、転送、結合、比較、あるいは他の操作がなされ得る、光、電気、または磁気信号の形式をとる。主に一般的な用法のために、これらの信号をビット、値、要素、シンボル、文字、用語、数などと表すことが時には便利であることが分かっている。
【００３７】
しかし、これらおよび類似の全ての用語は適切な物理量に関連付けられるべきであり、これらの量に便利なラベルが適用されているにすぎない点を念頭に置くべきである。特に記載のない限り、または記述から明らかなように、「処理（ｐｒｏｃｅｓｓｉｎｇ）」、「コンピューティング（ｃｏｍｐｕｔｉｎｇ）」、「計算（ｃａｌｃｕｌａｔｉｎｇ）」、「決定（ｄｅｔｅｒｍｉｎｉｎｇ）」、「表示（ｄｉｓｐｌａｙｉｎｇ）」などの用語は、コンピュータ・システムのレジスタおよびメモリ内で物理量、電子量として表示されるデータを操作して、コンピュータ・システム・メモリまたはレジスタ、あるいは他のこのような情報ストレージ、伝送またはディスプレイ装置内に物理量として類似して提示される他のデータに変換するコンピュータ・システムまたは類似の電子コンピューティング装置の動作および処理を指す。
【００３８】
開示された主題のソフトウェアに実装された態様は、一般に何らかの形式のプログラム・ストレージ媒体で符号化されるか、何らかのタイプの伝送媒体を介して実装される点にも留意されたい。プログラム・ストレージ媒体は、磁気（たとえば、フロッピー・ディスクまたはハード・ドライブ）でもよく、光（たとえば、コンパクト・ディスク読出し専用メモリ、すなわち「ＣＤ  ＲＯＭ」）でもよい。また読出し専用でもよく、ランダム・アクセスでもよい。同様に、伝送媒体はツイスト・ペア線、同軸ケーブル、光ファイバ、または業界で知られている他の何らかの適切な伝送媒体でよい。開示された主題は、所与のどの実装形態のこれらの態様にも限定されない。
【００３９】
上記で開示された特定の実施形態は例示のみであり、開示された主題は、本明細書中の教示の利益を有する当業者にとって明らかな、異なるが同等の方法で修正および実施され得る。さらに、以下の特許請求の範囲において記載されるもの以外には、本明細書中に示される構成および設計の詳細に対してどのような制限も意図されない。したがって、上記で開示された特定の実施形態を変更または修正でき、このような全ての変形形態は、開示された主題の範囲内であるとみなされることは明らかである。したがって、本明細書中において求められた保護は、以下の特許請求の範囲に記載される通りである。
【図２】
0005511952.tif 000008
【図３】
0005511952.tif 000009
【図４】
0005511952.tif 000010
【図１】
0005511952.tif 000011